【事件の表示】
　特許第３１７４０８０号「画像記録再生装置」の請求項１、２に係る特許に対する特許異議の申立てについて、次のとおり決定する。
【結　論】
　訂正を認める。
　特許第３１７４０８０号の請求項１に係る特許を取り消す。
【理　由】
　
第１　手続の経緯
　
　特許第３１７４０８０号の特許請求の範囲（請求項の数２）に記載された発明は、平成３年２月２０日に出願され、平成１３年３月３０日にその特許の設定登録がなされ、その後、特許異議の申立がなされ、取消理由が通知され、その指定期間内である平成１４年４月１６日に訂正請求がなされ、再度取消理由が通知され、その指定期間内に請求人から意見書の提出がなされなかったものである。
　
　
　
第２　訂正の適否についての判断
　
１．訂正の内容
　
　特許権者が求めている訂正の内容は、以下のとおりの訂正事項である。
　
(１)訂正事項ａ
　特許請求の範囲の請求項１を、
「【請求項１】
　記録する画像のディジタル化された画像信号を所定のマトリックスサイズでブロック化し、これを直交変換してブロック毎に周波数成分別に分けて得た直流成分のみのデータによる縮小画像信号データおよび各交流周波数成分の画像信号データを、記録領域が複数のセクタ領域に分割され、管理領域を有して各セクタの連結情報はこの管理領域に記録するようにする記録媒体に記録するとともに、縮小画像信号データについては前記記録媒体における記録領域のうちの縮小画像信号データ専用の記録領域に記録する手段と、
　検索時の参照用として、前記縮小画像信号データに付随して、前記記録する画像の画素数を、画像を記録した日時情報とともに前記記録媒体に読み出し可能に記録する手段と、
　前記記録媒体から前記各周波数成分別のデータを、前記管理領域の情報に基づいて読出して逆直交変換し、元のブロックの画像データに戻し、これをアナログ変換して画像信号に戻すことにより通常の画像を再生するものであって、縮小画像として再生するときには縮小画像信号データを記録した領域のデータを用いた直流成分のみのデータにより、前記逆直交変換を省いた画像再生とする再生手段と、
を具備したことを特徴とする画像記録再生装置。」
と訂正する。
　
(２)訂正事項ｂ
　特許請求の範囲の請求項２を削除する訂正。
　
(３)訂正事項ｃ
　本件明細書の【００５０】欄の記載のうち、
「周波数成分別に分けて得た縮小画像信号データを記録媒体に記録する手段と、前記縮小画像信号データに付随して、前記記録する画像の画素数を前記記録媒体に記録する手段と、前記記録媒体からデータを読出して逆直交変換し、元のブロックの画像データに戻し、これをアナログ変換して画像信号に戻して縮小画像を再生する」
なる記載を、
「周波数成分別に分けて得た直流成分のみのデータによる縮小画像信号データおよび各交流周波数成分の画像信号データを、記録領域が複数のセクタ領域に分割され、管理領域を有して各セクタの連結情報はこの管理領域に記録するようにする記録媒体に記録するとともに、縮小画像信号データについては前記記録媒体における記録領域のうちの縮小画像信号データ専用の記録領域に記録する手段と、
　検索時の参照用として、前記縮小画像信号データに付随して、前記記録する画像の画素数を、画像を記録した日時情報とともに前記記録媒体に読み出し可能に記録する手段と、
　前記記録媒体から前記各周波数成分別のデータを前記管理領域の情報に基づいて読出して逆直交変換し、元のブロックの画像データに戻し、これをアナログ変換して画像信号に戻すことにより画像を再生するものであって、縮小画像として再生するときには縮小画像信号データを記録した領域のデータを用いた直流成分のみのデータにより、前記逆直交変換を省いた画像再生とする」
と訂正する。
　
(４)訂正事項ｄ
　本件明細書の【００５１】欄の記載内容を削除する訂正。
　
(５)訂正事項ｅ
　本件明細書【００５２】欄の記載のうち、
「特に本発明装置においては、縮小画像信号データを得るに当たり、原画像のディジタル化された画像信号を所定のマトリックスサイズでブロック化し、これを直交変換してブロック毎に周波数成分別、すなわち、直流成分と交流成分とに分けるようにし、当該周波数成分別に記録媒体に記録することによって、事実上、縮小画像信号データとして記録媒体に記録する。また、前記原画像の画素数を記録する手段により、前記原画像の画素数を前記縮小画像信号データに付随して記録するようにする。そして、再生手段は前記記録媒体から周波数成分別のデータを読出して逆直交変換し、元のブロックの画像データに戻し、アナログ変換して画像信号に戻して縮小画像を再生する。」
なる記載を、
「特に本発明装置においては、縮小画像信号データを得るに当たり、原画像のディジタル化された画像信号を所定のマトリックスサイズでブロック化し、これを直交変換してブロック毎に周波数成分別、すなわち、直流成分と交流成分とに分けるようにし、当該周波数成分別に記録媒体に記録することによって、この記録された直流成分のみによる画像信号データは、事実上、縮小画像のデータすなわち、縮小画像信号データということになる。また、前記原画像の画素数を記録する手段により、前記原画像の画素数を、画像を記録した日時情報とともに前記縮小画像信号データに付随して記録するようにする。そして、再生手段は前記記録媒体から周波数成分別のデータを、前記管理領域の情報に基づいて読出して逆直交変換し、元のブロックの画像データに戻し、アナログ変換して画像信号に戻すことにより、通常の画像再生をするが、直流成分のみのデータである縮小画像信号データのみを用い、これを再生すると縮小画像が再生できる。」
と訂正する。
　
(６)訂正事項ｆ
　明細書【００５３】欄の記載内容を削除する訂正。
　
　
２．訂正の目的の適否、新規事項の有無及び拡張・変更の存否
　
(１)訂正事項ａについて　
　訂正事項ａは、請求項１に係る発明を、以下の(a)ないし(e)の点で限定したものである。
　
(a)縮小画像信号データが直流成分のみのデータによることを限定をした点
(b)記録する手段は、縮小画像信号データおよび各交流周波数成分の画像信号データを、記録領域が複数のセクタ領域に分割され、管理領域を有して各セクタの連結情報はこの管理領域に記録するようにする記録媒体に記録するとともに、縮小画像信号データについては前記記録媒体における記録領域のうちの縮小画像信号データ専用の記録領域に記録するものであることを限定した点
(c)画像の画素数は検索時の参照用であることを限定した点
(d)記録する画像の画素数を、画像を記録した日時情報とともに前記記録媒体に読み出し可能に記録することを限定した点
(e)再生手段は、通常の画像を再生するときには、各周波数成分別のデータを管理領域の情報に基づいて読出して行い、縮小画像として再生するときには、縮小画像信号データを記録した領域のデータを用いた直流成分のみのデータにより、逆直交変換を省いた画像再生をすることを限定した点
　
　上記の各点は、明細書の【００７３】ないし【００７６】、【００８８】ないし【００９３】、【０１０１】、【０１０４】ないし【０１２５】、及び【０１２８】ないし【０１３２】の記載事項に基づき、請求項１を限定する訂正であるから、特許請求の範囲の減縮を目的とした明細書の訂正に該当し、新規事項の追加に該当せず、実質的に特許請求の範囲を拡張し又は変更するものでもない。
　
(２)訂正事項ｂについて
　請求項２を削除する訂正であるから、特許請求の範囲の減縮を目的とした明細書の訂正に該当し、新規事項の追加に該当せず、実質的に特許請求の範囲を拡張し又は変更するものでもない。
　
(３)訂正事項ｃないしｆについて
　訂正事項ｃないしｆは、特許請求の範囲の記載との整合を図るために行われる訂正であるから、明りょうでない記載の釈明を目的とした明細書の訂正に該当し、新規事項の追加に該当せず、実質的に特許請求の範囲を拡張し又は変更するものでもない。
　
　
３．むすび
　
　以上のとおりであるから、上記訂正は、特許法１２０条の４第３項において準用する平成６年法改正前の特許法１２６条１項ただし書き、及び同条２項の規定に適合するので、当該訂正を認める。
　
　
　
第３　特許異議の申立てについての判断
　
１．本件発明
　
　上記第２で示したように上記訂正が認められるところとなったから、本件の請求項１に係る発明（以下「本件発明」という。）は、上記訂正に係る訂正明細書の特許請求の範囲の請求項１に記載された事項により特定される次に掲げるとおりのものである。
　
 「【請求項１】上記第２　１．(１)のとおり。」
　
　
２．刊行物に記載された発明
　
　当審が平成１４年５月７日付けで通知した取消理由で引用した刊行物である特開平１−１２３３６５号公報（以下「刊行物１」という。）には、「画像検索装置」（以下「刊行物１発明」という。）に関し、本件発明との対比において、図面とともに以下(ａ)ないし(ｄ)の事項が記載されている。
　
(ａ)「画像データをＮ×Ｎ画素のブロックに分割し、該ブロックを直交変換する手段と、直交変換係数の大きさに基づいてビット割当を行なう手段と、このビット割当に基づいて、上記変換係数を量子化し符号化する手段と、この符号化されたデータの内、各ブロックの直流成分のみをまとめて第１階層記憶領域に記憶する手段と、このブロック内で直流成分以外のデータを低周波成分の方から領域分割して、それぞれ別の階層の記憶領域に記憶する手段と、上記第１の記憶領域からデータを読出して縮小画像の一覧表示する手段と、上記各階層の記憶領域から順次データを読出して逆直交変換し通常サイズの画像を階層的に表示する手段とを備えた画像検索装置である。」（２頁右上欄８行ないし左下欄１行）
　
(ｂ)「このとき、第３図に示すように画像データＡの各ブロックの領域ａに属するデータ（a1A，a2A，・・・anA，nはブロック数）をまとめて第１階層記憶領域に記憶する。」（３頁右上欄１行ないし４行）
　
(ｃ)「記憶装置５の第１階層記憶領域から、各画像のａ領域のデータセット（例えば画像Ａの場合a1A〜anA　画像Ｂの場合a1B〜anB）を順に読出し、復号後、第１のバッファメモリ８に蓄え順次表示装置１２に表示してゆくと、直交変換係数の第１シーケンシ成分はそのブロック内画素の平均値を表わすので、１／４の縮小画像（元の画像サイズが２５６×２５６）の一覧表示が可能となる。」（３頁左下欄１３行ないし２０行）
　
(ｄ)「２次候補画像の中から１つの画像を選択し、その画像の縮小画像データを、第２のバッファメモリ９に転送すると同時に第２階層記憶領域からその２次候補画像の領域ｂのデータセットを読出し、復号後、第２のバッファメモリ９に追加してゆく。そして、逆直交変換器７で復元しながら、第３のバッファメモリ１０を介して再生すると、表示装置１２には、粗い復元画像（通常サイズ）が表示される。更に、細かい画像が必要な場合は、第３階層記憶領域に記憶されている各ブロックの領域ｃのデータを読出し、同様の手順で再生すると、より細かい画像が表示されることになる。」（３頁右下欄５行ないし１７行）
　
　
　当審が平成１４年５月７日付けで通知した取消理由で引用した刊行物である特開昭６３−２３３４７５号公報（以下「刊行物２」という。）には、本件発明との対比において、図面とともに以下の(ｅ)ないし(ｈ)の事項が記載されている。
(ｅ)「本発明は、検索された結果、画像表示装置に表示されている静止画像データについて、その原画像サイズを、その画像表示装置に一目で把握できるように表示させるものである。」（２頁左上欄２行ないし５行）
　
(ｆ)「画像読取装置１０は、原画像を原画像記憶装置１４に登録する時に用いるイメージスキャナー、ＴＶカメラ等に相当するものである。
　この他に、検索要求、画像登録要求を入力するキーボード１１と、各種制御を行なうＣＰＵ１２と、各画像データの属性を格納するインデックスファイル１３と、原画像記憶装置１４と、原画像から縮小画像を作成する画像縮小装置１５と、画像表示装置１７に表示された静止画像データに対してその表示方法の制御を行なう画面制御装置１６と、検索された静止画像データを表示し、さらに静止画像データを絞り込む時に使用する画像表示装置１７と、検索要求のために使用する属性の指定と静止画像データの登録の時の属性の設定等のガイド画面として使用するＣＲＴ１９と、属性の設定と表示された静止画像データの選択等に使用するデジタイザ２０とを有する。」（２頁左上欄１６行ないし右上欄１２行）
　
(ｇ)「表示された縮小画像の中からデジタイザ２０を使用して所望の画像を選択する（Ｓ９）ことによって、画像データを絞り込む。この場合、検索後の画像データの利用方法を考慮すると、原画像データのサイズによって検索者の所望する画像を選択するか否かを決定したいという状況にしばしば遭遇する。このような場合、デジタイザ２０を用いて、メニュー欄５８に表示された原画像データサイズ表示のモード（図示せず）を指定する（Ｓ９）。
　これによって、ＣＰＵ１２は、識別コード２２と原画像データサイズが格納されている配列の中から、画像表示装置１７に表示されている各画像データの識別コード２２を用いてサーチし、該当する原画像データサイズを読み出す（Ｓ１Ｏ）。このデータサイズの大きさに基づいて、第３図（３）に示すように、各表示画像に異なった大きさで枠付けを行なう（Ｓ１１）。」（３頁右上欄９行ないし左下欄６行）
　
(ｈ)「また、上記実施例では、・・・・（中略）・・・・、各静止画像の一部分に原画像データサイズの数値を表示するようにしてもよい。」（４頁左上欄６行ないし１２行）
　
　
　当審が平成１４年５月７日付けで通知した取消理由で引用した刊行物である特開平０２−３０１２６７号公報（以下「刊行物３」という。）には、本件発明との対比において、図面とともに以下の(ｉ)及び(ｊ)の事項が記載されている。
　
（ｉ）「デジタル画像信号に検索用データや日付情報を付けて前記メモリに記憶させるデータ付加手段を備えた」（「特許請求の範囲」欄）
　
（ｊ）「中容量メモリ１３には１画面分づつ撮像装置１５により得られた画像信号に日付・時刻情報，検索用データがイメージデータとして付けられて記憶される・・・・・（中略）・・・・・検索用データは上記検索用データや日付・時刻情報である」（３頁右上欄行８ないし１９行）
　
　
　当審が平成１４年５月７日付けで通知した取消理由で引用した刊行物である特開平０３−００３１８４号公報（以下「刊行物４」という。）には、本件発明との対比において、図面とともに以下の事項が記載されている。
　
（ｋ）「ディスク装置上のある特定の場所にファイルアロケーションテーブル（ＦＡＴ）領域が設けられている。このＦＡＴは、ディスク装置のデータ記憶領域の使用状態つまりデータ記憶領域におけるファイルの割り当て状態を示すためのもので、このＦＡＴにはファイルが記憶されているセクタ位置の繋がりを示すクラスタ情報が含まれている。」（２頁左上欄１４行ないし右上欄１行）
　
　
３．対比・判断
　
　本件発明と刊行物１発明とを対比すると、本件発明が「画像記録再生装置」であるのに対し、刊行物１発明は「画像検索装置」であるが、刊行物１発明も画像を記録し、これを再生するものであるから、本件発明と同様に画像記録再生装置の分野に係る発明といえる。
　
　刊行物１発明において、ブロック化されるデータはディジタル化されたデータである旨明文の記載はないものの、このデータは、ブロック分割、直交変換、及びビット割り当てに基く量子化がなされることから、ディジタル化された画像信号であるといえる。
　刊行物１発明における「第１階層記憶領域」は縮小画像の表示に使う直流成分のみが記憶される専用の領域であるから、本件発明における「縮小画像信号データ専用の記憶領域」に相当する。また、刊行物１発明における「記憶装置」は本件発明における「複数のセクタ領域」や「管理領域」に相当する構成は有していないものの、画像データが記録されるという点で、本件発明の「記録媒体」に対応する。
　そして、刊行物１発明は、第１階層記憶領域に記憶されたデータを縮小画像として再生する際には、上記２.(ｃ)の記載から明らかなように逆直交変換を省いた画像再生を行っている。
　
　したがって、本件発明と刊行物１発明とは以下の（一致点）で一致し、（相違点１）ないし（相違点３）で相違する。
　
（一致点）
「記録する画像のディジタル化された画像信号を所定のマトリックスサイズでブロック化し、これを直交変換してブロック毎に周波数成分別に分けて得た直流成分のみのデータによる縮小画像信号データおよび各交流周波数成分の画像信号データを記録媒体に記録するとともに、縮小画像信号データについては前記記録媒体における記録領域のうちの縮小画像信号データ専用の記録領域に記録する手段と、
　前記記録媒体から前記各周波数成分別のデータを読出して逆直交変換し、元のブロックの画像データに戻し、通常の画像を再生するものであって、縮小画像として再生するときには縮小画像信号データを記録した領域のデータを用いた直流成分のみのデータにより、前記逆直交変換を省いた画像再生とする再生手段と、
を具備したことを特徴とする画像記録再生装置。」
　
（相違点１）
　本件発明は、「検索時の参照用として、縮小画像信号データに付随して、記録する画像の画素数を、画像を記録した日時情報とともに記録媒体に読み出し可能に記録する手段」を有しているのに対し、刊行物１発明はそのような構成を有していない点。
　
（相違点２）
　本件発明は、「記録領域が複数のセクタ領域に分割され、管理領域を有して各セクタの連結情報はこの管理領域に記録するようにする記録媒体」に記録し、「前記管理領域の情報に基づいて読出し」ているのに対し、刊行物１発明はそのような構成を有していない点。
　
（相違点３）
　本件発明は、逆直交変換されたブロックの画像データをアナログ変換して画像信号に戻しているのに対して、刊行物１発明はこのような構成を有していない点。
　
　そこで、上記各相違点について検討する。
　
　上記（相違点１）について
　例えば、上記刊行物２に記載されているように、「画素数」を検索時の参照用として記録する技術は、従来より知られた技術にすぎないものと認められる。また「日時情報」を検索時の参照用として記録する技術についても上記刊行物３に記載されているように周知の技術にすぎないものと認められる。そして、上記刊行物３に記載されたものは、「日付・時刻情報」を検索用に画像データに付随して記録しているから、これを参照すれば、刊行物１発明を本件発明のように「画素数」と「日時情報」を検索用の縮小画像データに付随して記録させる構成とすることは、当業者が容易に想到実施できた程度の事項にすぎない。
　
　上記（相違点２）について
「記録領域が複数のセクタ領域に分割され、管理領域を有して各セクタの連結情報はこの管理領域に記録するようにする記録媒体」は、例えば、刊行物４に記載されているように記録媒体として周知慣用の構成にすぎず、これを記録媒体として用いることは、当業者が必要に応じて適宜なし得る設計的事項にすぎない。
　
　上記（相違点３）について
　ディジタル化された信号を表示する際、表示装置に適合させるためアナログ変換して画像信号に戻すことは通常行われている事項にすぎない。
　
　このように上記相違点１ないし３は、それぞれ当業者が容易に推考できたものであり、また、これら相違点を総合的に考慮しても、予測性のない顕著な効果を奏するものではないから、本件発明は当業者が格別の創意工夫を要することなくなしえたものである。
　
　
４．むすび
　
　以上のとおり、本件発明は、上記刊行物１ないし４の発明に基づいて当業者が容易に発明をすることができたものであるから、本件発明についての特許は、特許法第２９条第２項の規定に違反してされたものである。
　したがって、本件発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年８月２９日（２００２．８．２９）
【訂正の要旨】
訂正の要旨
（１）訂正事項ａ
　特許請求の範囲の請求項１を、
「【請求項１】
　記録する画像のディジタル化された画像信号を所定のマトリックスサイズでブロック化し、これを直交変換してブロック毎に周波数成分別に分けて得た直流成分のみのデータによる縮小画像信号データおよび各交流周波数成分の画像信号データを、記録領域が複数のセクタ領域に分割され、管理領域を有して各セクタの連結情報はこの管理領域に記録するようにする記録媒体に記録するとともに、縮小画像信号データについては前記記録媒体における記録領域のうちの縮小画像信号データ専用の記録領域に記録する手段と、
　検索時の参照用として、前記縮小画像信号データに付随して、前記記録する画像の画素数を、画像を記録した日時情報とともに前記記録媒体に読み出し可能に記録する手段と、
　前記記録媒体から前記各周波数成分別のデータを、前記管理領域の情報に基づいて読出して逆直交変換し、元のブロックの画像データに戻し、これをアナログ変換して画像信号に戻すことにより通常の画像を再生するものであって、縮小画像として再生するときには縮小画像信号データを記録した領域のデータを用いた直流成分のみのデータにより、前記逆直交変換を省いた画像再生とする再生手段と、
を具備したことを特徴とする画像記録再生装置。」
と訂正する。
（２）訂正事項ｂ
　特許請求の範囲の請求項２を削除する。
（３）訂正事項ｃ
　本件明細書の【００５０】欄の記載のうち、
「周波数成分別に分けて得た縮小画像信号データを記録媒体に記録する手段と、前記縮小画像信号データに付随して、前記記録する画像の画素数を前記記録媒体に記録する手段と、前記記録媒体からデータを読出して逆直交変換し、元のブロックの画像データに戻し、これをアナログ変換して画像信号に戻して縮小画像を再生する」
なる記載を、
「周波数成分別に分けて得た直流成分のみのデータによる縮小画像信号データおよび各交流周波数成分の画像信号データを、記録領域が複数のセクタ領域に分割され、管理領域を有して各セクタの連結情報はこの管理領域に記録するようにする記録媒体に記録するとともに、縮小画像信号データについては前記記録媒体における記録領域のうちの縮小画像信号データ専用の記録領域に記録する手段と、
　検索時の参照用として、前記縮小画像信号データに付随して、前記記録する画像の画素数を、画像を記録した日時情報とともに前記記録媒体に読み出し可能に記録する手段と、
　前記記録媒体から前記各周波数成分別のデータを前記管理領域の情報に基づいて読出して逆直交変換し、元のブロックの画像データに戻し、これをアナログ変換して画像信号に戻すことにより画像を再生するものであって、縮小画像として再生するときには縮小画像信号データを記録した領域のデータを用いた直流成分のみのデータにより、前記逆直交変換を省いた画像再生とする」
と訂正する。
（４）訂正事項ｄ
　本件明細書の【００５１】欄の記載内容を削除する。
（５）訂正事項ｅ
　本件明細書【００５２】欄の記載のうち、
「特に本発明装置においては、縮小画像信号データを得るに当たり、原画像のディジタル化された画像信号を所定のマトリックスサイズでブロック化し、これを直交変換してブロック毎に周波数成分別、すなわち、直流成分と交流成分とに分けるようにし、当該周波数成分別に記録媒体に記録することによって、事実上、縮小画像信号データとして記録媒体に記録する。また、前記原画像の画素数を記録する手段により、前記原画像の画素数を前記縮小画像信号データに付随して記録するようにする。そして、再生手段は前記記録媒体から周波数成分別のデータを読出して逆直交変換し、元のブロックの画像データに戻し、アナログ変換して画像信号に戻して縮小画像を再生する。」
なる記載を、
「特に本発明装置においては、縮小画像信号データを得るに当たり、原画像のディジタル化された画像信号を所定のマトリックスサイズでブロック化し、これを直交変換してブロック毎に周波数成分別、すなわち、直流成分と交流成分とに分けるようにし、当該周波数成分別に記録媒体に記録することによって、この記録された直流成分のみによる画像信号データは、事実上、縮小画像のデータすなわち、縮小画像信号データということになる。また、前記原画像の画素数を記録する手段により、前記原画像の画素数を、画像を記録した日時情報とともに前記縮小画像信号データに付随して記録するようにする。そして、再生手段は前記記録媒体から周波数成分別のデータを、前記管理領域の情報に基づいて読出して逆直交変換し、元のブロックの画像データに戻し、アナログ変換して画像信号に戻すことにより、通常の画像再生をするが、直流成分のみのデータである縮小画像信号データのみを用い、これを再生すると縮小画像が再生できる。」
と訂正する。
（６）訂正事項ｆ
　明細書【００５３】欄の記載内容を削除する。
（５４）【発明の名称】
画像記録再生装置
（５７）【特許請求の範囲】
　【請求項１】
　記録する画像のディジタル化された画像信号を所定のマトリックスサイズでブロック化し、これを直交変換してブロック毎に周波数成分別に分けて得た
直流成分のみのデータによる
および各交流周波数成分の画像信号データを、記録領域が複数のセクタ領域に分割され、管理領域を有して各セクタの連結情報はこの管理領域に記録するようにする記録媒体に記録するとともに、縮小画像信号データについては前記記録媒体における記録領域のうちの縮小画像信号データ専用の記録領域に
　
検索時の参照用として、
、画像を記録した日時情報とともに
読み出し可能に
　前記記録媒体から
前記各周波数成分別の
、前記管理領域の情報に基づいて
すことにより通常の画像を再生するものであって、縮小画像として再生するときには縮小画像信号データを記録した領域のデータを用いた直流成分のみのデータにより、前記逆直交変換を省いた画像再生と
を具備したことを特徴とする画像記録再生装置。
【発明の詳細な説明】
　【０００１】
　【産業上の利用分野】
　本発明はマルチ画面作成処理を高速で実施できるようにした画像記録再生装置に関する。
　【０００２】
　【従来の技術】
　近年、技術の革新により、スチルカメラにおいても、銀塩フィルムに代わって磁気媒体やメモリ等の記録媒体に画像を記録する電子スチルカメラが登場して実用に供されるようになった。すなわち、被写体像をフィルムに露光させる代わりにＣＣＤ（固体撮像素子）により捉え、映像信号として得ると共に、これを画像データ化し、この画像データを記録媒体に記録して保存し、鑑賞する際には読み出して再生すると云うものである。
　【０００３】
　ところで、画像信号をメモリカード、磁気ディスクあるいは磁気テープ等の記録媒体にディジタルデータとして記録する場合、そのデータ量は膨大なものとなるため、多くのフレーム画像を限られた記録容量の範囲で記録しようとする場合には、得られた画像信号のデータに対し、何等かの高能率な圧縮を行うことが必要となる。
　【０００４】
　更に、ディジタル電子スチルカメラ等においては、撮影した画像を銀塩フィルムの代わりに、メモリカード、磁気ディスクあるいは磁気テープ等の記録媒体にディジタルデータとして保存するので、１枚のメモリカード、磁気ディスクあるいは１巻の磁気テープ等の記録媒体に記録できる画像の枚数が規定され、この規定枚数分の画像の記録が保証されなければならず、しかも、カメラと云う性格上、データの記録再生処理に要する時間が短く、且つ、一定である必要がある。
　【０００５】
　同様に、ディジタルＶＴＲ（ビデオテープレコーダ）、ディジタル動画ファイル等において動画像を記録する場合もフレーム当たりの画像のデータ量に影響されることなく、所定量のフレームを記録できなければならない。すなわち、静止画像であっても、動画像であっても、必要なコマ数分を確実に記録できる必要があると共に、データの記録再生処理に要する時間が短く、且つ、一定である必要がある。
　【０００６】
　かかる高能率な画像データの圧縮方式として、直交変換符号化と可変長符号化を組み合わせた符号化方法が広く知られている。そして、その代表的なものとして、静止画符号化国際標準化において検討されている方式がある。
　【０００７】
　この方式について次に概略を説明する。まず、画像データを所定の大きさのブロックに分割し、分割されたブロック毎に直交変換として２次元のＤＣＴ（離散コサイン変換）を行う。次に各周波数成分に応じた線形量子化を行い、この量子化された値に対して可変長符号化としてハフマン符号化を行う。このとき、直流成分に関しては近傍ブロックの直流成分との差分値をハフマン符号化する。交流成分はジグザグスキャンと呼ばれる低い周波数成分から高い周波数成分へのスキャンを行い。無効（値が０）の成分の連続する個数と、それに続く有効な成分の値とから２次元のハフマン符号化を行う。
　【０００８】
　以上の動作を図１４を参照して具体的に説明すると、まず（ａ）に示すように、１フレームの画像データ（国際標準化案で例示されている１フレームの画像は７２０×５７６画素）を所定の大きさのブロック（例えば、８×８の画素よりなるブロックＡ，Ｂ，Ｃ…）に分割し、（ｂ）に示すように、この分割されたブロック毎に直交変換として２次元のＤＣＴ（離散コサイン変換；尚、アダマール変換、離散フーリエ変換などの直交変換でも良い）を行い、８×８マトリックス上に順次格納する。画像データは２次元平面で眺めてみると、濃淡情報の分布に基づく周波数情報である空間周波数を有している。
　【０００９】
　従って、上記ＤＣＴを行うことにより、画像データは直流成分（ＤＣ）と交流成分（ＡＣ）に変換され、８×８のマトリックス上には原点位置（座標０，０位置）に直流成分ＤＣの値を示すデータ（係数）が、そして、（０，７）位置には横軸方向の交流成分ＡＣの最大周波数値を示すデータが、そして、（７，０）位置には縦軸方向の交流成分ＡＣの最大周波数値を示すデータが、更に、（７，７）位置には斜め方向の交流成分ＡＣの最大周波数値を示すデータが、それぞれ格納され、中間位置ではそれぞれの座標位置により関係付けられる方向における周波数データが、原点側より順次高い周波数のものが出現するかたちで格納されることになる。
　【００１０】
　次にこのマトリックスにおける各座標位置の格納データを、各周波数成分毎の量子化幅により割ることにより、各周波数成分に応じた線形量子化を行い（ｃ）、この量子化された値に対して可変長符号化として例えば、ハフマン符号化を行う。
　【００１１】
　このとき、直流成分ＤＣに関しては近傍ブロックの直流成分との差分値をグループ番号（付加ビット数）と付加ビットで表現し、そのグループ番号をハフマン符号化し、得られた符号語と付加ビットを合わせて符号化データとする（ｄ１，ｄ２，ｅ１，ｅ２）。
　【００１２】
　交流成分ＡＣに関しても有効な（すなわち、値が０でない）係数は、グループ番号と付加ビットで表現する。そのため、交流成分ＡＣは図１５に示すような順序でのスキャンであるジグザグスキャンと呼ばれる低い周波数成分から高い周波数成分へのスキャンを行い、無効（値が０）の成分が連続する個数（零のラン数）とそれに続く有効な成分の値のグループ番号とから２次元のハフマン符号化を行い、得られた符号語と付加ビットを合わせて符号化データとする。
　【００１３】
　ハフマン符号化はフレーム画像当たりの上記直流成分ＤＣおよび交流成分ＡＣの各々のデータ分布における発生頻度の最も高いものを中心として、この中心に近いもの程、データビットを少なくし、周辺になるほどビット数を多くするようなビットの割り当てをしたかたちでデータを符号化して符号語を得ると云ったことで行う。
　【００１４】
　以上が、この方式の基本部分である。この基本部分だけでは可変長符号化であるハフマン符号化を用いているために符号量が画像毎に一定では無くなってしまう。そこで、符号量の制御の方法として次のような方式が特願平２−１３７２２２号において提案されている。
　【００１５】
　すなわち、直交変換と可変長符号化を組み合わせた圧縮方式において、発生符号量の制御を行うために、メモリに記録した画像信号を、ブロックに分割し、この分割されたブロック毎に直交変換を行ってから、この変換出力を暫定的な量子化幅αで量子化した後、この量子化出力を可変長符号化すると共に、各ブロック毎の発生符号量と画像全体の総発生符号量を算出し、次に前記暫定的な量子化幅α、前記総発生符号量および規定の収めるべき符号量である目的符号量（目標符号量）とから、総発生符号量が該目的符号量に近付けるに最適と考えられる新しい量子化幅α´を予測する（以下、これを第１パスと呼ぶ）。
　【００１６】
　そして、この予測した新しい量子化幅α´を用いて量子化すべく、再び画像メモリの画像信号をブロック分割、直交変換を行い、直交変換により得られた係数であるＤＣＴ係数に対して上記α´を用いての量子化を行い、この量子化された周波数成分別の値に対して低周波成分から順次可変長符号化を行うと共に、第１パスでの各ブロック毎の発生符号量と、目的符号量とから、各ブロック毎の割り当て符号量を計算し、各ブロック毎の割当符号量を定めておき、可変長符号化における各ブロック毎の発生符号量が各ブロックの割当符号量を超える場合には、そのブロックでの可変長符号化は打ち切り、次のブロックの処理に移ると云ったことを繰り返す（以下、これを第２パスと呼ぶ）。これにより、画像全体の総発生符号量が目的の設定符号量を超えないように符号量の制御を行おうと云うものである。
　【００１７】
　ここで可変長符号化における各ブロック毎の発生符号量がその各ブロックでの割り当て符号量を超える場合に、そのブロックでの可変長符号化を打ち切るようにしているが、これは結果的に打ち切られるのが周波数の高い成分となるもので、人間の視覚は低周波数成分に対しては敏感であるが、高い周波数に対しては鈍感となる性質を利用して視覚的に感じる画質の低下を抑えつつ、符号量を抑えることができるためである。
　【００１８】
　このような手法を採用した画像符号化／復号化処理装置の例を次に示す。図１１に変換方式にＤＣＴ（Ｄｉｓｃｒｅｔｅ　Ｃｏｓｉｎｅ　Ｔｒａｎｓｆｏｒｍ）を用い、記録媒体に磁気ディスクを用いた場合の例を示す。図において、１は入力用のＡ／Ｄ変換器であって、入力されるアナログの画像信号をディジタルデータに変換して出力する回路である。また、２は出力用のＤ／Ａ変換器であり、再生された画像データをアナログの画像信号に変換して再生出力として出力する回路である。３はフレ−ムメモリであり、４はこのフレ−ムメモリ３の書き込み読出しを制御するメモリ制御回路、５はスイッチ、４３は符号化／復号化処理を行う符号化部である。符号化部４３は直交変換／逆直交変換処理（ＤＣＴ／ＩＤＣＴ）回路４４、量子化／逆量子化処理を行う量子化／逆量子化回路４５、ハフマン符号化等の可変長符号化／復号化を行う符号化／復号化回路４６よりなる。
　【００１９】
　スイッチ５は通常の再生と、マルチ画面の切り替えを行う経路切替えスイッチであり、ａ，ｂ２つの切替え接点を有していて、符号化する場合や通常の画面を再生する場合、スイッチ５はａ側に設定され、マルチ画面を作る場合のように、画像サイズを縮小する場合にはｂ側に設定される。この切替え操作は操作部２７の操作により連動して行われる。
　【００２０】
　フレ−ムメモリ３はＡ／Ｄ変換器１からの画像データを受けて一時記憶すると共に、この記憶したデータを所定のブロック単位で読出して後段側に出力し、また、スイッチ５を介して与えられるＤＣＴ／ＩＤＣＴ回路４４の逆変換出力または水平・垂直フィルタ４０の出力を受けてこれを一時記憶するためのメモリである。メモリ制御回路４はこのフレ−ムメモリ３の書き込み読出しを制御するものである。
　【００２１】
　直交変換／逆直交変換処理（ＤＣＴ／ＩＤＣＴ）回路４４は符号化処理時には前記フレ−ムメモリ３よりブロック化されて読み出される入力画像データを直交変換して周波数成分別の要素に分解して量子化／逆量子化回路４５に出力し、また、再生処理時においては周波数成分別の要素に分解して入力された１ブロック分ずつのデータを受けて元の１ブロック分の画像データに逆変換処理する回路である。
　【００２２】
　量子化／逆量子化回路４５は符号化処理時にはこのＤＣＴ／ＩＤＣＴ回路４４の出力する直交変換出力データを所定の量子化幅で量子化して符号化／復号化回路４６に出力すると共に、再生処理時においては符号化／復号化回路４６からの符号値を逆量子化してもとの１ブロック分の画像データに変換する回路である。符号化／復号化回路４６は符号化処理時には量子化／逆量子化回路４５の出力する量子化されたデータ（量子化係数値）を、ハフマン符号語等の符号語に変換して圧縮符号化し、入出力端子に出力すると共に、再生処理時においては入出力端子より入力される符号語化されたデータを復号化して、もとの量子化係数値に復元して量子化／逆量子化回路４５に与える回路である。
　【００２３】
　また、操作部２７は符号化処理と通常の再生処理の切替えと、マルチ画像再生の切替え操作をするための操作手段であり、フレ−ムメモリ４１は再生処理時にＤＣＴ／ＩＤＣＴ回路４４から与えられる逆直交変換したもとの１ブロック分単位の画像データをそのブロック対応位置に読み込んで保持し、水平・垂直フィルタ４０に与えるためのメモリである。４２はこのフレ−ムメモリ４１の書き込み／読出しを制御するメモリ制御回路である。
　【００２４】
　なお、マルチ画面作成モードのときは、メモリ制御回路４はマルチ画面を作るために、フレームメモリ３への書き込みパルスを、画面縮小比率に従って、飛び飛びに出力すると共に、また、メモリのアドレスは書き込みパルスが出力されるときだけ変え、これにより画素の間引きを行うように制御する。
　【００２５】
　水平・垂直フィルタ４０はフレ−ムメモリ４１より読み出されたデータについて、帯域制限処理を行い、スイッチ５のｂ側に出力する回路である。また、２６はシステム全体の制御の中枢を担うシステム制御回路であり、１６はこのシステム制御回路２６の制御のもとに、前記符号化部４３の各構成要素の動作を制御する符号化部制御回路である。２２は記録再生回路、２３は記録・再生用のヘッド、２４は磁気あるいは光記録等の記録媒体であるディスク、２５は駆動回路である。
　【００２６】
　ヘッド２３はディスク２４との間で、データの書き込み、読出しを行うものであり、記録再生回路２２は符号化部４３における符号化／復号化回路４６からの書き込みデータを記録信号化してヘッド２３に与え、ヘッド２３からの読出しデータの信号を受けてデータ化して符号化／復号化回路４６に与えるためのものである。駆動回路２５はシステム制御回路２６の制御のもとに、ディスク２４を回転駆動させ、また、ヘッド２３をディスク２４の所要の記録トラック位置にシーク（移行）させるなどの動作を行うものである。
　【００２７】
　このような構成において、符号化処理時には操作部２７は符号化処理・通常再生処理のモード側に設定する。これにより、スイッチ５はａ側に保たれる。この状態で、入力端子より入力されるアナログの画像信号はＡ／Ｄ変換器１でディジタル化される。通常、後段のデータ圧縮／伸張回路（符号化部４３）やメディアへの記録／再生回路の動作速度と、Ａ／Ｄ変換器１から出力されるデータの速度は一致しない。そこで、フレームメモリ３を用意し、このフレームメモリ３に一旦記憶させ、その後に読み出すことにより、速度変換を行う。
　【００２８】
　このようにＡ／Ｄ変換器１の出力をフレームメモリ３に一度記録し、その後に読み出すことで速度を合わせるが、以後の画像処理のために、図１２に示すように１画像（１フレーム分の画像）分を隣接するいくつかの画素単位で分割して複数個のブロックにブロック化する。図１２は１フレームの画像を縦８画素、横８画素でブロック化した場合の例を示している（８×８画素）。
　【００２９】
　通常、撮像素子からの映像信号の場合、フレーム画面を行方向に走査して読み出し、Ａ／Ｄ変換器１に与えることから、Ａ／Ｄ変換器１からは図１２の符号ａを付して示す矢印方向のような順番で各画素ＰＣのデータが出力される。これに対し、画像データの符号化処理にあたってはブロック化してブロック単位で行ってゆくので、このブロック化したデータとして渡すためには図１２の符号ｂを付したジグザグ矢印のような順番で、後段のＤＣＴ／ＩＤＣＴ（直交変換／逆直交変換）回路４４へ供給する必要がある。そこで、フレームメモリ３の書き込み／読み出しの制御を行うメモリ制御回路４はフレームメモリ３へのデータ書き込み制御時には図１２の矢印ａのような方向に沿ってまた、読み出し制御の場合には矢印ｂのような順番になるよう、出力するアドレス信号を並べ替える。
　【００３０】
　このようにして、ブロック化された画像データは、符号化部４３のＤＣＴ／ＩＤＣＴ（直交変換／逆直交変換）回路４４に与えられる。ＤＣＴ／ＩＤＣＴ回路４４はこのブロック化されて与えられるデータを直交変換して量子化／逆量子化回路４５に与え、また、量子化／逆量子化回路４５から与えられる量子化係数を逆直交変換するものである。
　【００３１】
　ブロック化されてＤＣＴ／ＩＤＣＴ回路４４に入力された画像データはこのＤＣＴ／ＩＤＣＴ回路４４により直交変換され、予め設定されている量子化マトリックスに従って量子化／逆量子化回路４５で量子化される。
　【００３２】
　その後、次の符号化／復号化回路４６によって符号化され、符号語をつくる。このようにして得られた符号語は記録再生回路２２に送られ、ここで記録用の信号に変換されてヘッド２３に与えられる。そして、ヘッド２３にて記録媒体であるディスク２４に記録される。
　【００３３】
　ディスク２４に記録されたデータをもとの画像に再生する場合には、スイッチ５はａ側に切り替えられる。そして、ディスク２４に記録データはヘッド２３にて読み出され、記録再生回路２２に送られて、ここで符号語のデータに戻されて符号化／復号化回路４６に与えられる。そして、この符号語のデータは符号化／復号化回路４６で解読（復号）されて元の量子化係数値に戻され、この量子化係数値に戻されたデータは量子化／逆量子化回路４５で量子化の際に使用した元の量子化幅で直交変換係数に復元し（逆量子化）、これをＤＣＴ／ＩＤＣＴ回路４３により逆直交変換を行い、元の周波数成分別のデータ値に戻す。この戻されたデータはメモリ制御回路４の制御のもとに、元のブロックの周波数成分対応位置（元の周波数成分別座標位置の対応マトリックス位置）に来るようにしてフレームメモリ３に記憶され、これをメモリ制御回路４の制御のもとに読み出して、Ｄ／Ａ変換器２に与えることでＤ／Ａ変換してアナログ化し、画像信号として出力する。
　【００３４】
　再生時にはＤＣＴ／ＩＤＣＴ回路４４からは図１２のｂの順番でデータが出力され、また、Ｄ／Ａ変換器２へは図１２のａのような順番で出力する必要があるので、メモリ制御回路４がアドレス信号を並べ替える。
　【００３５】
　ところで、電子スチルカメラ等ではデータを記録媒体に記録してあるので、画像の観賞は再生した映像信号をテレビモニタ等で表示することで行うことができ、また、ビデオプリンタ等に出力して印刷することによりハードコピーとして得ることができる。
　【００３６】
　そして、どこにどのような画像が撮影されているか、どこに必要なあるいはほしい画像があるか等を手っとり早く知ることができるように画像検索機能として再生装置側にはマルチ画面表示機能が用意されているものがある。
　【００３７】
　すなわち、上述したような処理によって符号化された画像の検索を行う場合、一度、すべてのコマをそれぞれ縮小して１枚の画面上に順に並べて一覧表示したマルチ画面を作り、このマルチ画面より、所望の画像を選ぶのが一般的でまた便利である。
　【００３８】
　このマルチ画面を作るには、各フレーム毎に画素の間引きを行って各画像を縮小する。また、間引きのとき、折返し歪みを防ぐため、帯域制限を行う必要があり、画像の水平、垂直方向それぞれに対して、低域フィルタを通す。その後、画素の間引きを行って構成画素数を減らすことにより各画像を縮小し、マルチ画面を作る。
　【００３９】
　図１１の構成において、マルチ画面を表示する場合には操作部２７をマルチ画面のモードに切り替える。これによりシステム制御回路２６はスイッチ５をｂ側に切り替える。これにより、ＤＣＴ／ＩＤＣＴ回路４４の逆変換出力はフレームメモリ４１、水平・垂直フィルタ４０を経て、フレームメモリ３に送られることになる。すなわち、ＤＣＴ／ＩＤＣＴ回路４４により、逆ＤＣＴ処理されたデータはフレームメモリ４１にも送られるので、メモリ制御回路４２により書き込み制御することで、一旦、フレームメモリ４１に記録する。このときには、メモリ制御回路４２の制御のもとで図１２において、符号ｂで示すジグザグ矢印のような経路を辿る順番で書き込まれる。これをメモリ制御回路４２の制御のもとに図１２に符号ａで示す矢印経路を辿るような順番で読み出し、水平・垂直フィルタ４０を通して、帯域制限処理を行う。このようにして帯域制限された画像データをフレームメモリ３に書き込む。ところで、マルチ画面を作るために、スイッチ５はｂ側に切り替えられ、水平・垂直フィルタ４０の出力はフレームメモリ３に送られるが、このときメモリ制御回路４はフレームメモリ３への書き込みパルスを、画像縮小比率に従い、飛び飛びに出力する。また、メモリのアドレスは書き込みパルスが出力されるタイミングに合わせて切り替えるように制御する。これにより画素の間引きが行われる。
　【００４０】
　以上のような処理を各画面毎に繰り返してフレームメモリ３上にマルチ画面を作る。そして、メモリ制御回路４は読み出し用としてフレームメモリ３を例えばテレビの走査速度とその走査方向に合わせ、１画素単位ずつ読み出すべくアドレス制御することにより、順次読み出し、Ｄ／Ａ変換器２に送ってアナログ変換し、画像信号に戻して出力することにより再生出力を得、これを表示に使用したり、ビデオプリンタに与えることでマルチ画面を見ることができる。
　【００４１】
　ここで、上述のように符号化／復号化回路４６により符号化して得た符号語は記録再生回路２２でヘッド２３への信号に変換し、ディスク２４に記録する。このとき、ディスク２４として磁気ディスクを使用しているとすれば、磁気ディスクは一般に図１３のように同心円状に形成された多数のトラックＴＲａ，ＴＲｂ・・・にデータを記録するようになっている関係で、符号語化されて記録される画像１，画像２，画像３，画像４，画像５，・・・のデータＤＴ１，ＤＴ２，ＤＴ３，ＤＴ４，ＤＴ５・・・は図１３のように磁気ディスク２４上に記録される。この図は一例であり、空きトラックの空き領域を見つけてデータの記録を進める。
　【００４２】
　そして、もとの画像を再生する場合には、図１３のように記録された画像データをヘッド２３により読み出すが、画像１の再生では画像１のデータＤＴ１の記録されたトラックと領域を探してその位置にヘッド２３を移動させ、回転するディスク２４上からデータを読出し、また、画像２の再生では画像２のデータＤＴ２の記録されたトラックと領域を探してその位置にヘッド２３を移動させ、回転するディスク２４上からデータを読出すと云った制御が必要である。
　【００４３】
　【発明が解決しようとする課題】
　このように電子スチルカメラ等に用いる画像信号圧縮符号化／復号化処理装置は、画像信号をディジタル化し、フレームメモリに格納し、これを所定のマトリックスサイズでブロック化し、これを直交変換してブロック毎に周波数成分別のデータとし、さらにこれを量子化してからハフマン符号化等により可変長符号化し、圧縮符号化し、再生はこの圧縮符号化されたデータを復号化し、さらに逆量子化して元の値に戻し、さらに逆直交変換して元のブロックの画像データに戻し、これをアナログ変換して画像信号に戻すと云う処理を行うものである。
　【００４４】
　一方、電子スチルカメラの撮影画像を検索するような場合、記録媒体に記録された画像を１画面に分割表示して一覧可能にするマルチ画面を作成して表示するようにするが、従来、マルチ画面を作る際は、各フレーム画像について通常の再生処理を行い、それからそのフレーム画像の画素の間引きを行うことにより画面縮小処理を行う。この間引きはフレームメモリ３への書き込みパルスを、画像縮小比率に従って、間引いて出力し、また、同時にメモリのアドレスは書き込みパルスに同期させて一番地ずつ進めることで行う。
　【００４５】
　そのため、一画像分を縮小するのに要する処理時間は通常の再生と同じだけかかり、従って、マルチ画面を表示するまでの処理時間が長くなる。特に逆離散コサイン変換等の逆直交変換のための処理が複雑であるので、検索のためのマルチ画面を作成するのに時間がかかってしまい、実用性に欠ける。また、縮小された画像は原画像での画素数が掴めないから、マルチ画面中の画像から所望の画像サイズの画像を中心に候補を選択しようとしてもそれができない。つまり、検索性の点でも問題である。
　【００４６】
　また、画素の間引きの際には、折返し歪みを防止する必要があり、水平・垂直フィルタで帯域制限処理をしなければならない。このとき、水平・垂直フィルタにデータを渡すためにフレームメモリを用意し、これに一旦保持してから上記フィルタに通すことから、マルチ画面を保持させるためのフレームメモリ（第１のフレームメモリ３）の他に別のフレームメモリ（第２のフレームメモリ４１）を用意しなければならない。そのため、システムのコストアップにつながる。
　【００４７】
　このような処理をするための他のシステムとして、画像の符号化から記録までの処理をコンピュータを使用してソフトウェアで行うこともできる。しかし、この場合でも逆ＤＣＴのための処理時間が無視できないことも同様であり、更に上記の第２のフレームメモリのような再生した画像を一時記憶する領域を必要とし、ソフトウェアを実行するための主記憶装置（メモリ）の領域を圧迫する。さらには、圧縮符号化した画像データを磁気ディスクなどに記録している場合、磁気ディスクに記録されている全画像データを読み取る必要があり、磁気ヘッドの移動時間が無視できない。
　【００４８】
　すなわち、ディスクは磁気記録方式のもののように、データの書き込み、消去、読出しが自由に行えるメディアの場合、空きトラックの空き領域等はそのときの状態により、まちまちであり、ディスクへの画像記録はその画像の記録時点での空きトラックにおける空き領域を使用して行うので、ある場合は一つのトラックにしかもそのトラックの連続するセクタを使用して画像が記録されることもあれば、いくつかのトラックの虫食い状態のように点在する空きセクタに分散させて１画像分が記録されることもあり、分散状態に記録された画像はその画像のデータの記録されているセクタを逐次探しながらデータを拾い出す必要があるので、ヘッドのシーク等に要する時間も含め、データを読出しが完了するまでにかなりの時間を要することになる。これは記録媒体としてディスクを使用する方式での潜在的な欠点である。
　【００４９】
　そこでこの発明の目的とするところは、圧縮符号化された画像データより画像を再生する場合に、複数の画面を１画面に並べて一覧表示するマルチ画面化等の処理を行うにあたり、その前処理としての画像サイズの縮小化に際し、処理を簡略化させて高速に画像を縮小させることができ、マルチ画面を表示するまでの処理時間の短縮を図ると共に、縮小化の処理のための水平・垂直フィルタ処理を不用として第２のフレームメモリを不用とし、コストダウンを図ることができ、さらには記録媒体としてディスクを使用している場合においても、縮小画面を作成するに必要なデータを効率的に、迅速に取り出すことができるようにしてマルチ画面を表示するまでの処理時間の短縮を図ることができると共に、縮小化された画像の表示に当たっても原画像の画素数が掴めるようにして検索性の向上をも図れるようにした画像記録再生装置
を
　【００５０】
　【課題を解決するための手段】
　上記目的を達成するため、本発明は次のように構成する。すなわち、
本発明
直流成分のみのデータによる
および各交流周波数成分の画像信号データを、記録領域が複数のセクタ領域に分割され、管理領域を有して各セクタの連結情報はこの管理領域に記録するようにする記録媒体に記録するとともに、縮小画像信号データについては前記記録媒体における記録領域のうちの縮小画像信号データ専用の記録領域
　
検索時の参照用として、
、画像を記録した日時情報とともに
読み出し可能に
　前記記録媒体から
前記各周波数成分別の
前記管理領域の情報に基づいて
すことにより画像を再生するものであって、縮小画像として再生するときには縮小画像信号データを記録した領域のデータを用いた直流成分のみのデータにより、前記逆直交変換を省いた画像再生と
　【００５１】
　【００５２】
　【作用】
　このような本発明は
、
この記録された直流成分のみによる画像信号データは、
縮小画像のデータすなわち、
いうことにな
、画像を記録した日時情報とともに
、前記管理領域の情報に基づいて
すことにより、通常の画像再生をするが、直流成分のみのデータである縮小画像信号データのみを用い、これを再生すると
が
でき
　このように、この発明は、縮小画像信号データを得るに当たり、原画像のディジタル化された画像信号を所定のマトリックスサイズでブロック化し、これを直交変換してブロック毎に周波数成分別、すなわち、直流成分と交流成分とに分けるようにし、これによって、得られる直流成分のみのデータはそのままで縮小画像を呈することから、当該周波数成分別に記録媒体に記録することによって、縮小表示するための縮小画像信号データを記録媒体に記録することができることを利用している。従って、縮小画像を表示する場合はこれを読み出して表示に供すれば良いので、マルチ画面を生成が容易にできるようになり、また、記録する画像の画素数など、画像のパラメータを画像のデータと一緒に記録するので、マルチ画面を生成するときにこれらの情報も一緒に参照できるようになり、画像の検索性が向上するものである。
　【００５３】
　【００５４】
　【実施例】
　以下、本発明の一実施例について、図面を参照して説明する。
　【００５５】
　（第１実施例）
　図１に変換方式にＤＣＴ（Ｄｉｓｃｒｅｔｅ　Ｃｏｓｉｎｅ　Ｔｒａｎｓｆｏｒｍ）を用い、記録媒体に磁気ディスクを用いた場合の例を示す。図１は本発明の一実施例を示す全体構成図である。図１において、１は画像信号入力用のＡ／Ｄ変換器であって、入力されるアナログの画像信号をディジタルデータに変換して出力する回路である。また、２は画像信号出力用のＤ／Ａ変換器であり、再生された画像データをアナログの画像信号に変換して再生出力として出力する回路である。
　【００５６】
　３はフレ−ムメモリであり、４はこのフレ−ムメモリ３の書き込み読出しを制御するメモリ制御回路、５はスイッチ、６は符号化／復号化を行う符号化部である。この符号化部６は直交変換／逆直交変換処理（ＤＣＴ／ＩＤＣＴ）回路７、直流成分（ＤＣ）用の量子化／逆量子化回路１２、直流成分用（ＤＣ）用の符号化／復号化回路１４、これら量子化／逆量子化回路１２および符号化／復号化回路１４用のテーブル８，９、交流成分（ＡＣ）用の量子化／逆量子化回路１３、交流成分用の符号化／復号化回路１５、これら量子化／逆量子化回路１３および符号化／復号化回路１５用のテーブル１０，１１よりなる。
　【００５７】
　テーブル８には量子化／逆量子化回路１２で使用する量子化テーブルが、また、テーブル１０には量子化／逆量子化回路１３で使用する量子化テーブルが、それぞれ格納されており、これら量子化／逆量子化回路はそれぞれの量子化テーブルに基づいて量子化／逆量子化を行う。また、テーブル９には符号化／復号化回路１４で使用するハフマン符号テーブル等の可変長符号テーブルが、また、テーブル１１には符号化／復号化回路１５で使用するハフマン符号テーブル等の可変長符号テーブルが、それぞれ格納されており、これら符号化／復号化回路はそれぞれの可変長符号テーブルに基づいて符号語を作り、また、符号語から量子化係数値に復元すると云った処理を行う。
　【００５８】
　２７は操作部、２６はシステム全体の制御の中枢を担うシステム制御回路であり、１６はこのシステム制御回路２６の制御のもとに、前記符号化部６の各構成要素の動作を制御する符号化部制御回路である。２２は記録再生回路、２３は記録・再生用のヘッド、２４は磁気あるいは光記録等の記録媒体であるディスク、２５は駆動回路である。
　【００５９】
　スイッチ５は通常の再生と、マルチ画面の切り替えを行う経路切替えスイッチであり、ａ，ｂ２つの切替え接点を有していて、符号化する場合や通常の画面を再生する場合、スイッチ５はａ側に設定され、マルチ画面を作る場合のように、画像サイズを縮小する場合にはｂ側に設定される。この切替え操作は操作部２７の操作により連動して行われる。
　【００６０】
　フレ−ムメモリ３はＡ／Ｄ変換器１からの画像データを受けて一時記憶すると共に、この記憶したデータを所定のブロック単位で読出して後段側に出力し、また、スイッチ５を介して与えられるＤＣＴ／ＩＤＣＴ回路７の逆変換出力または直流成分用の量子化／逆量子化回路１２からの逆量子化された出力（直交変換係数）を受けてこれを一時記憶するためのメモリである。メモリ制御回路４はこのフレームメモリ３の書き込み読出しを制御するものである。
　【００６１】
　直交変換／逆直交変換処理（ＤＣＴ／ＩＤＣＴ）回路６は符号化処理時には前記フレームメモリ３よりブロック化されて読み出される入力画像データを直交変換して周波数成分別の要素に分解して直流成分は量子化／逆量子化回路１２に、また、交流成分は量子化／逆量子化回路１３に出力し、また、再生処理時においては周波数成分別の要素に分解して入力された１ブロック分ずつのデータを受けて元の１ブロック分の画像データに逆変換処理する回路である。
　【００６２】
　直流成分用の量子化／逆量子化回路１２は符号化処理時にはこのＤＣＴ／ＩＤＣＴ回路７の出力する直流成分用の直交変換出力データを所定の量子化幅で量子化して直流成分用の符号化／復号化回路１４に出力すると共に、再生処理時においては符号化／復号化回路１４からの符号値を逆量子化してもとの直交変換係数値に戻す回路である。
　【００６３】
　符号化／復号化回路１４は符号化処理時には量子化／逆量子化回路１２の出力する量子化されたデータ（量子化係数値）を、ハフマン符号語等の符号語に変換して圧縮符号化し、切り替えスイッチ２１のａ接点側に供給すると共に、再生処理時においては切り替えスイッチ２１のａ接点側より入力される符号語化されたデータを復号化して、もとの量子化係数値に復元して量子化／逆量子化回路１２に与える回路である。
　【００６４】
　交流成分用の量子化／逆量子化回路１３は符号化処理時には前記ＤＣＴ／ＩＤＣＴ回路７の出力する交流成分用の直交変換出力データを所定の量子化幅で量子化して交流成分用の符号化／復号化回路１５に出力すると共に、再生処理時においては符号化／復号化回路１５からの符号値を逆量子化してもとの直交変換係数値に戻す回路である。
　【００６５】
　符号化／復号化回路１５は符号化処理時には量子化／逆量子化回路１３の出力する量子化されたデータ（量子化係数値）を、ハフマン符号語等の符号語に変換して圧縮符号化し、切り替えスイッチ２１のｂ接点側に供給すると共に、再生処理時においては切り替えスイッチ２１のｂ接点側より入力される符号語化されたデータを復号化して、もとの量子化係数値に復元して量子化／逆量子化回路１３に与える回路である。
　【００６６】
　また、操作部２７は符号化処理と通常の再生処理の切替えと、マルチ画像再生表示のモード切替え操作、再生画像の指定等をするための操作手段である。切り替えスイッチ２１はａ側接点とｂ側接点の２つの切り替え接点を有し、直交変換の直流成分を通す時はａ側接点に、また、直交変換の交流成分を通す時はｂ側接点に切り替えられるように、システム制御回路２６によって切り替え制御される構成となっている。
　【００６７】
　ヘッド２３はディスク２４との間で、データの書き込み、読出しを行うものであり、記録再生回路２２は切り替えスイッチ２１を介して符号化部６における符号化／復号化回路１４，１５からの書き込みデータを記録信号化してヘッド２３に与え、ヘッド２３からの読出しデータの信号を受けてデータ化し、これを切り替えスイッチ２１を介して符号化部６における符号化／復号化回路１４，１５に与えるためのものである。駆動回路２５はシステム制御回路２６の制御のもとに、ディスク２４を回転駆動させ、また、ヘッド２３をディスク２４の所要の記録トラック位置にシーク（移行）させるなどの動作を行うものである。
　【００６８】
　本装置は、画像サイズ
の
　【００６９】
　画像の縮小に当たっては、直流成分のみのデータを読出してその符号語を解読し、元の量子化されたデータを復元し、これを逆直交変換処理しないで元の画像を再生する。
　【００７０】
　すなわち、変換方式に２次元ＤＣＴを用いた場合、画素数が水平および垂直ともにＮのブロック（Ｎ×Ｎ）における各画素の標本値をＤＣＴ変換した場合の座標位置（ｕ，ｖ）の変換係数Ｆ（ｕ，ｖ）は一般に下記数１の式（１）で与えられ、その逆変換は下記数１の式（２）のように与えられる（テレビジョン学会誌Ｖｏｌ．４３，Ｎｏ．１０（１９８９）ｐｐ．１１４５〜１１５５参照）。但し、Ｎは画素数、Ｃは係数、ωは角周波数、ｕ，ｖ，ｉ，ｊは座標を示す。
　【００７１】
　【数１】
　この数１の式（１）において、ｕ，ｖが零の時、つまり座標位置（０，０）の変換係数Ｆ（０，０）はその画像ブロック内の平均輝度値を表わす直流成分に対応する。このＦ（０，０）を抽出して１つの画素とし、図３のように並べることにより、この画像は縦横（行方向、列方向）共にブロックサイズ分の１の画面に縮小される。例えば、図３のようにブロックサイズが縦８画素、横８画素の場合は、この画像は縦横共に８分の１に縮小され、面積としては１／６４に縮小される。
　【００７２】
　また、他の画像も同様な処理を行うことで６４画面のマルチ画面ができる。このＦ（０，０）はブロック内の各要素を合計し、適当な係数を乗じたものなので、２次元の空間フィルタを通したものと等価な効果がある。そのため、画素の間引きを行う前処理として従来は水平・垂直フィルタを必要としたが、上記方法に従って画像を縮小化する場合にはこれらのフィルタは不要である。また、逆ＤＣＴ処理を実行せずに画像を縮小できるので、短時間でマルチ画面を作ることができる。他の直交変換、例えば、離散フーリエ変換の場合でもＦ（０，０）はブロックの直流成分を示す。この離散フーリエ変換のように、ブロック内の直流成分を示す係数が得られる変換方式を用いて画像を符号化しているものであれば、この手段を使用して画像サイズを縮小することができる。
　【００７３】
　このように、本発明の原理は画像信号をディジタル化し、フレームメモリに格納し、これを所定のマトリックスサイズでブロック化し、これを直交変換してブロック毎に周波数成分別のデータとして、圧縮符号化し、再生はこの圧縮符号化されたデータを復号化し、さらに逆直交変換して元のブロックの画像データに戻し、これをアナログ変換して画像信号に戻すと云う処理を行う符号化／復号化において、フレーム画像を縮小してマルチ画面を作成するにあたり、符号語を元の値（すなわち、直交変換された係数値）に戻し、この戻された各ブロックの直交変換係数値を逆直交変換せずにそのまま利用する。そして、その利用するデータは直交変換係数値のうち、直流成分のものとし、この直流成分の値をそのブロックでの代表値として使用し、フレーム画像の各ブロックについて、それぞれこの直流成分のみを画素として使用し、他の成分は捨てることで直流成分のみを集めたフレーム画像を再現すると云うものである。
　【００７４】
　直流成分のみを集め易くするために、本発明では符号化時に直流成分と交流成分とを分けて処理し、記録媒体に対しては記録領域を直流成分専用領域と交流成分専用領域とに分けて、直流成分は直流成分専用領域に記録し、交流成分は交流成分専用領域に記録する。そして、縮小画面を得るときは直流成分専用領域から直流成分のみを取り出す。
　【００７５】
　これにより、縮小する画像は各ブロック毎に直流成分以外は間引かれた形となり、しかも、直交変換係数化して得られたデータをフレームメモリに詰めて書き込むことでマルチ画像化することから、逆直交変換する必要はなく、演算処理は大幅に省略され、高速度で画像縮小処理できる。
　【００７６】
　そのため、マルチ画面作成モードのときはメモリ制御回路４は各ブロックの直流成分のデータが出力されるタイミングでフレームメモリ３に書き込みパルスを与えると共に、このタイミングでアドレスを進めるべく制御するように構成してある。マルチ画面作成モードのときは１ブロックが８×８のサイズの場合、直流成分のみを使用することにより、結果的に１／６４に縮小されるので、図３に示すようにフレーム画像（画面）で斜め１つ下に隣接するブロックでは、マルチ画面では斜め１つ下の隣接画素に位置するようにアドレス制御されて縮小フレーム画像が生成されるようにしてある。また、１番目のフレーム画像ではフレームメモリ３の原点位置を起点に、縦横各構成ブロック数分の個数の画素だけ確保してその領域を１番目のフレーム画像の縮小画面格納領域となるようにアドレス制御して書き込み、２番目のフレーム画像ではその隣の領域に書き込まれるようにアドレス制御して書き込み、と云ったように制御する構成とする。
　【００７７】
　フレームメモリ３の読出しはフレームメモリ３の記憶内容が１画面分となるように、テレビ走査に合わせてテレビ走査と同様の走査方向で読み出されるようにアドレス制御する。その他、符号化処理時、通常の再生処理時の書き込み／読出し制御は従来のものと変わらない。また、これらの制御はシステム制御回路２６の制御のもとに行われる。
　【００７８】
　以下、本装置の作用を説明する。符号化処理時には操作部２７は符号化処理・通常再生処理のモード側に設定する。これにより、スイッチ５はａ側に保たれる。この状態で、入力端子より入力されるアナログの画像信号はＡ／Ｄ変換器１でディジタル化される。通常、後段のデータ圧縮／伸張回路やメディアへの記録／再生回路の動作速度と、Ａ／Ｄ変換器１から出力されるデータの速度は一致しない。従って、フレームメモリ３に一旦記憶させ、その後に読み出すことにより、速度変換を行う。
　【００７９】
　次に以後の画像処理のために、図３に示すように１画像（１フレーム分の画像）分を、隣接するいくつかの画素単位で分割して複数個のブロックにブロック化する。図３は１フレームの画像を縦８画素、横８画素でブロック化した場合の例を示している（８×８画素）。
　【００８０】
　通常、撮像素子からの映像信号の場合、フレーム画面を行方向に走査して読み出し、Ａ／Ｄ変換器１に与えることから、Ａ／Ｄ変換器１からは図１２で説明したように符号ａを付して示す矢印方向のような順番で各画素ＰＣのデータが出力され、一方、画像データの符号化処理にあたってはブロック化してブロック単位で行ってゆくので、このブロック化したデータとして渡すためには図１２の符号ｂを付したジグザグ矢印のような順番で、後段のＤＣＴ／ＩＤＣＴ（直交変換／逆直交変換）回路７へ供給する必要がある。そこで、フレームメモリ３の書き込み／読み出しの制御を行うメモリ制御回路４はフレームメモリ３へのデータ書き込み制御時には図１２の矢印ａのような方向に沿ってまた、読み出し制御の場合には矢印ｂのような順番になるよう、出力するアドレス信号を並べ替える。
　【００８１】
　このようにして、ブロック化された画像データは、符号化部６のＤＣＴ／ＩＤＣＴ（直交変換／逆直交変換）回路７に与えられる。
　【００８２】
　ブロック化されてＤＣＴ／ＩＤＣＴ回路７に入力された画像データはこのＤＣＴ／ＩＤＣＴ回路７により直交変換され、直流成分は量子化／逆量子化回路１２に、また、交流成分は量子化／逆量子化回路１３にそれぞれ与えられる。量子化／逆量子化回路ではそれぞれ対応するテーブル８，１０に予め設定されている量子化マトリックスに従って量子化する。
　【００８３】
　その後、それぞれ次の対応する符号化／復号化回路１４，１５によって符号化され、符号語をつくる。このようにして得られた符号語は切り替えスイッチ２１を介して記録再生回路２２に送られ、ここで記録信号化されてヘッド２３に与えられる。そして、ヘッド２３にて記録媒体であるディスク２４に記録される。
　【００８４】
　ここで本装置の特徴は、図２に示すように、ディスク２４のデータ記録は例えば、複数の同心円状のトラックのうち、実線で示すトラックを直流成分すなわち、Ｆ（０，０）の成分の符号語専用の記録トラック、そして、点線で示すトラックを交流成分すなわち、Ｆ（０，０）の成分以外の符号語専用の記録トラックしてある点である。そして、画像１のＦ（０，０）成分のデータは図２のＡ１領域に、画像２のＦ（０，０）成分のデータはＡ２領域に、画像３のＦ（０，０）成分のデータはＡ３領域に、と云った具合に記録する。そのため、システム制御回路２６は直流成分の符号語出力が出されるタイミングでは切り替えスイッチ２１をａ側接点に切り替え、また、駆動回路２５に対してはヘッド２３がディスク２４の直流成分記録用のトラックにおける空き領域に来るようにシークさせる。従って、直流成分のデータが出力されるときはヘッド２３により、直流成分記録用のトラックにおける空き領域にこのデータが記録されることになる。
　【００８５】
　このようにして、画像はその直流成分のデータが直流成分記録用のトラックにおける空き領域に記録される。
　【００８６】
　同様にして、交流成分の出力期間ではシステム制御回路２６は切り替えスイッチ２１をｂ側接点に切り替え、また、駆動回路２５に対してはヘッド２３がディスク２４の交流成分記録用のトラックにおける空き領域に来るようにシークさせる。従って、交流成分のデータが出力されるときはヘッド２３により、交流成分記録用のトラックにおける空き領域にこのデータが記録されることになる。但し、ディスク２４への書き込み処理に要する時間より符号化／復号化回路１５の符号化処理速度の方が速いので、符号化／復号化回路１５の符号語出力は一旦、バッファ１９に蓄え、直流成分用（Ｆ（０，０））の符号語データの記録が終了した段階で、スイッチ２１をｂ側に切り替え、且つ、ヘッド２３のシークを行ってから、このバッファ１９から高流成分用（Ｆ（０，０）以外）の符号語データを読出してディスク２４の高流成分用のトラックに対する書き込み処理を実施する。
　【００８７】
　このように制御する結果、ディスク２４には各画像の直流成分のデータが直流成分記録用のトラックに、Ａ１（画像１用），Ａ２（画像２用），Ａ３（画像３用），Ａ４（画像４用），・・・と云った具合に記録され、また、各画像の交流成分のデータが交流成分記録用のトラックに、Ｂ１（画像１用），Ｂ２（画像２用），Ｂ３（画像３用），Ｂ４（画像４用）・・・と云った具合に記録される（図２参照）。
　【００８８】
　ディスク２４に記録されたデータを、もとの画像に通常の画像として再生する場合には、操作部２７の設定は通常モードである。これにより、スイッチ５はａ側に切り替えられる。そして、例えば、画像１を再生しようとする場合は、操作部２７より１枚目の画像を指定する。
　【００８９】
　これによりシステム制御回路２６は図２のディスク２４からＡ１，Ｂ１の記録データを読み出すべく制御する。これにより、まず、磁気ヘッド２３がＡ１の記録されているトラックに移動され、切り替えスイッチ２１がａ側に設定され、Ａ１の読み出しデータが符号化／復号化回路１４に送られる。その後、磁気ヘッド２３はＢ１のトラックに移動し、スイッチ２１がｂ側に設定され、Ｂ１の読み出しデータが符号化／復号化回路１５に送られる。
　【００９０】
　これにより直流成分の符号語は符号化／復号化回路１４で解読（復号）されて元の量子化係数値に戻され、この量子化係数値に戻されたデータは量子化／逆量子化回路１２で量子化の際に使用した元の量子化幅で直交変換係数に復元され、ＤＣＴ／ＩＤＣＴ回路７に送られる。
　【００９１】
　一方、交流成分の符号語は符号化／復号化回路１５で解読（復号）されて元の量子化係数値に戻され、この量子化係数値に戻されたデータは量子化／逆量子化回路１３で量子化の際に使用した元の量子化幅で直交変換係数に復元され、ＤＣＴ／ＩＤＣＴ回路７に送られる。
　【００９２】
　そして、これらはＤＣＴ／ＩＤＣＴ回路７により逆直交変換処理が行われ、元の周波数成分別のデータ値に戻される。この戻されたデータはスイッチ５を介してフレームメモリ３に与えられ、フレームメモリ３上ではメモリ制御回路４の制御のもとに、元のブロックの周波数成分対応位置（元の周波数成分別座標位置の対応マトリックス位置）に来るようにしてデータが記憶される。そして、これをメモリ制御回路４の制御のもとに読み出して、Ｄ／Ａ変換器２に与えることでＤ／Ａ変換してアナログ化し、画像信号として出力する。尚、再生時にはＤＣＴ／ＩＤＣＴ回路６からは図１２のｂの順番でデータが出力され、また、Ｄ／Ａ変換器２へは図１２のａのような順番で出力する必要があるので、メモリ制御回路４がアドレス信号を並べ替える。
　【００９３】
　以上は符号化処理と通常の再生処理の場合の動作であり、復号化処理の形態としては基本的に従来技術で説明したものとほとんど同じと考えてよい。
　【００９４】
　次にマルチ画面表示等のために画面を縮小処理する場合を説明する。この場合、操作部２７をマルチ画面再生表示モードに切り替える。これによりスイッチ５はｂ側に切り替わる。そして、これにより量子化／逆量子化回路１２からの逆量子化による復元データの出力がスイッチ５を介してフレームメモリ３に与えられる構成となる。
　【００９５】
　そして、例えば、画像１から画像ｎまでを直流成分の記録トラックのみから再生すべくシステム制御回路２６は制御動作に入る。従って、システム制御回路２６は図２のディスク２４から最初にＡ１、次にＡ２、次にＡ３といった具合に、直流成分の記録トラックの記録データを読み出すべく駆動回路２５を制御すると共に、切り替えスイッチ２１をａ側に切り替える。これにより、まず、磁気ヘッド２３がＡ１の記録されているトラックに移動され、切り替えスイッチ２１がａ側に設定され、Ａ１の読み出しデータが符号化／復号化回路１４に送られる。その後、Ａ２，Ａ３，Ａ４・・・と連続してデータを読出し、符号化／復号化回路１４に送る。そのトラックでの記録データが全て読み出されると、次に磁気ヘッド２３は別の直流成分記録用のトラックに移動され、読み出しデータが符号化／復号化回路１４に送られる。
　【００９６】
　直流成分の符号語は符号化／復号化回路１４で解読（復号）されて元の量子化係数値に戻され、この量子化係数値に戻されたデータは量子化／逆量子化回路１２で量子化の際に使用した元の量子化幅で直交変換係数に復元され、スイッチ５を介して直接、フレームメモリ３へと送られる。なお、マルチ画面作成のモードでは交流成分の読出しは行われない。
　【００９７】
　そして、フレームメモリ３への書き込みは、その画像での縦横方向が１／８になるように、画素位置を詰めて行う。すなわち、図３のように配置してマルチ画面を作る。このような書き込み制御はメモリ制御回路４の制御のもとに行われる。これにより、フレームメモリ３上には各ブロックのデータのうち、数１の式（１）で示したＦ（０，０）、すなわち、直流成分のデータのみが詰められて縮小画面の形で記録される。
　【００９８】
　すなわち、例えば、図３のように縦８画素、横８画素で１個のブロックを構成した場合、各ブロック毎にそれぞれ直流成分（すなわち、それぞれＦ（０，０）の位置のＤＣＴ係数）のもののみを集めることで、画像サイズは縦横ともに８分の１に縮小されるので、１／６４の縮小画面が得られることになる。画面は１／６４に縮小されるので、フレームメモリ３は６４の領域に等分割し、それぞれの領域を別の縮小画像の格納領域として使用する。
　【００９９】
　一つの画面の縮小が終わったならば、次の画面の縮小に移り、これをフレームメモリ３の空き領域の一つに書き込む。このようにして、順番に別の画像を縮小して空き領域に書き込んでゆくことでマルチ画面を作る。フレームメモリ３上にマルチ画面が作成されたならば、メモリ制御回路４はフレームメモリ３の内容をテレビスキャン等に合わせて読出すべく制御し、読み出されたデータはＤ／Ａ変換器２に与えてこれをアナログの画像信号に戻し、出力する。これにより、マルチ画面形式の画像信号が得られる。
　【０１００】
　以上、動作の詳細を説明したが、この実施例の場合、ディスクに記録する画像の符号語データを直流成分用と、交流成分用とで分けてそれぞれ直流成分用／交流成分用の専用トラックに記録し、画像サイズを縮小するときには直流成分用の専用トラックからデータを読出して直流成分用のデータのみを元の量子化係数に復元し、これを直交変換係数に復元して、これにより画像信号を再生することで縮小画像を得るようにすると云う方式としたものであるから、復元した直交変換係数の逆変換処理が全く不要である。そのため、処理時間のかかるＤＣＴ／ＩＤＣＴ回路６を通して処理する必要がないので、画像縮小処理時間が非常に短くなる。また、コンピュータを使用して処理をソフトウェアで行うようにする場合でも、従来のような第２のフレームメモリに相当する領域を用意する必要がなく、ソフトウェアを実行させるために必要なメモリの節約が図れ、しかも、逆ＤＣＴを実行しなくとも良いので、処理時間の短縮化が図れる。
　【０１０１】
　このように、本実施例は画像信号をディジタル化し、フレームメモリに格納し、これを所定のマトリックスサイズでブロック化し、これを直交変換してブロック毎に周波数成分別のデータとし、さらにこれを量子化してからハフマン符号化等により可変長符号化し、圧縮符号化し、再生はこの圧縮符号化されたデータを復号化し、さらに逆量子化して元の値に戻し、さらに逆直交変換して元のブロックの画像データに戻し、これをアナログ変換して画像信号に戻すと云う処理を行う符号化／復号化において、直流成分と交流成分を分けて抽出し、記録用のディスクには直流成分と交流成分のそれぞれ専用のトラックに、分けて記録し、フレ−ム画像を縮小してマルチ画面を作成するにあたっては、ディスクの直流成分のトラックに記録されている圧縮符号されたデータを読出し、これを復号して元の量子化係数値に戻し、さらにこれを元の値（すなわち、直交変換された係数値）に戻し、この戻された各ブロックの直交変換係数値を逆直交変換せずにそのまま利用する。そして、その利用するデータは直交変換係数値のうち、直流成分のものであり、この直流成分の直交変換係数値をそのブロックでの代表値として使用し、フレーム画像の各ブロックについて、それぞれこの直流成分のみを画素として使用し、画像の縦横方向を詰めて画素配列することによりフレーム画像を再現すると云うものである。
　【０１０２】
　これにより、各ブロック毎に直流成分以外は間引かれた形となり、しかも、逆量子化して得られたデータを利用して分別することから、演算処理は大幅に省略され、高速度で画像縮小処理でき、また、直流成分の直交変換係数値をそのまま利用するので、これは帯域規制を与えたものと等価であり、従って、フィルタリング処理をする必要がないので、フィルタ回路やこのフィルタ回路に順次、データを与えるためのバッファ用のフィールドメモリそしてそのメモリの制御のための制御回路も不要となる。従って、回路構成も簡単となり、システム構成を簡易化できる。さらにまた、ディスクへのデータ記録はディスクのトラックを直流成分専用、交流成分専用に分けて、それぞれの成分のみを記録するようにしたから、直流成分のみを読出す場合にその読出し制御に無駄がなくなり、迅速に直流成分のみを抽出できるようになる。従って、ディスクのアクセス上のロスタイムが大幅に少なくなり、画像記録にディスクを用いた場合のデータ読出し時間と云う問題点も大幅に改善される。
　【０１０３】
　以上の例は、Ｆ（０，０）だけを読み込めば良いので、ディスクからの読み込み動作を短縮できることと、逆変換処理を行なわずに（ＤＣＴ／ＩＤＣＴ回路７を通さずに）済むのでマルチ画面をすぐに得ることができると云う利点があるが、同様な効果を得られる別の方式を次に示しておく。
　【０１０４】
　（第２実施例）
　第２の実施例は記録媒体（磁気ディスク）のトラックが、ある容量のセクタで分割されている場合のもので、構成は図４のようになる。以下、第２実施例について説明するが、第１実施例の説明と重複するものは同一符号のみ付して、その説明は省略する。また、ここでは１トラックを１６セクタで分割し、１セクタを記録時の最小単位とし、また、セクタの連結状態など、ディスクの管理情報を図５に示したＴＲａ−１の領域のセクタに記録する場合の例を示す。
　【０１０５】
　まず、第１実施例で説明したＦ（０，０）とそれ以外の係数を記録する最初のセクタを、システム制御回路２６が図５のように設定する。そして、これらのセクタに各データを記録した後、各々が連結していることを示す管理情報を図５に示したディスクの管理領域に記録する。この情報はシステム制御回路２６から出力されるので、システム制御回路２６からのこの管理情報をディスク２４に記録できるように第１実施例での２接点切替形切り替えスイッチ２１を３接点切替形切り替えスイッチ２８に替えておく。
　【０１０６】
　そして、画像を記録するときは、切り替えスイッチ２８をａ側に切り替え、直流成分をディスク２４の直流成分用記録トラックに記録し、次に切り替えスイッチ２８をｂ側に切り替え、交流成分をディスク２４の交流成分用記録トラックに記録する。その後、切り替えスイッチ２８はシステム制御回路２６からのこの情報を記録再生回路２２に導くｃ側接点に切り替える。そして、ディスク２４の管理領域に、画像の記録に使用したセクタの番号情報等の管理情報をシステム制御回路２６から送って記録する。
　【０１０７】
　通常の再生時にはディスク２４の管理領域から再生指定した画像が記録されているセクタ番号を最初に読み込み、次に、それに従って各セクタからデータを読み込み第１実施例と同様な処理を行う。
　【０１０８】
　また、マルチ画面を生成する場合、上記と同様に各画像のＦ（０，０）が記録されているセクタ番号を読み込み、それに従って各セクタからデータを読み込み第１実施例と同様な処理を行う。
　【０１０９】
　この例も、直流成分と交流成分をそれぞれ専用のトラックに記録すると共に、どのトラックのどのセクタにどのようなデータ情報を記録したかを管理情報領域にまとめて記録してあるので、必要なデータのみを迅速に取り出すことができ、第１実施例と同様にマルチ画面を生成する場合の処理を簡略化できて、高速にマルチ画面を生成することができる。
　【０１１０】
　（第３実施例）
　第３の実施例は、第２実施例に示した記録媒体（ディスク２４）に、記録する画像の画素数や画像を作成した日時、符号化するときに用いた量子化テーブル８，１０や、符号化テーブル９，１１の内容などのパラメータをＦ（０，０）の成分のデータに付加して記録するものである。この場合、装置の構成は図６のようになり、第２実施例における直流成分用の符号化／復号化回路１４の符号語出力側にバッファ１８を設け、さらに切り替えスイッチ２８は７点切替形の切り替えスイッチ１７に置き換える。そして、各テーブル８〜１１の情報をも選択的にヘッド２３に与えることができるように構成する。
　【０１１１】
　このような構成において、まず、記録する画像の画素数、画像を作成した日時など、画像に関するパラメータと量子化テーブル８，１０、符号化テーブル９，１１を図７のようにＦ（０，０）に付加して記録する。このとき、ＴＲｂのように、１乃至複数のセクタの最後の部分でＦ（０，０）が終了するように、セクタの先頭の部分に無効なデータを記録する。そして、ＴＲｍのように、別のセクタにＦ（０，０）以外の係数をセクタの先頭から記録し、使用したセクタに余った領域がある場合にはその部分に無効データを記録する。このときも、第２実施例と同様、ディスクの管理領域に各セクタが連結していることを示すデータを記録する。また、各画像のパラメータとＦ（０，０）とは連続したセクタに記録する。この様子をセクタ順に並べて示した例が図８である。
　【０１１２】
　なお、実際のディスクの場合、誤り制御のため、インターリーブなどの処理を行っているので、必ずしも図８のようなデータ配置がなされているわけではない。図８は実施例において、データの配置の概念図として示したものである。
　【０１１３】
　以上の動作をする装置を示したものが図６である。図６の装置においては、最初に符号化／復号化回路１４，１５から出力する符号語をバッファ１８，１９に一時記憶させる。このとき、Ｆ（０，０）を符号化したデータの量をカウンタ２０でカウントし、システム制御回路２６に入力する。このデータと、画像のパラメータ、量子化テーブル、符号のテーブルそれぞれのデータ量を合計し、必要なセクタ数を算出する。そして、余った分を無効データとしてセクタの最初に書き込み、その後、画像のパラメータを書き込む。このときには無効データをシステム制御回路２６が出力するのでスイッチ１７はｇ側に設定される。
　【０１１４】
　次に、量子化テーブル、符号のテーブルそれぞれをディスクに書き込む。このとき、スイッチ１７は書き込むデータに応じてａ，ｂ，ｅ，ｆ側に切り替る。
　【０１１５】
　以上を終了した後、スイッチ１７をｃ側に切り替え、Ｆ（０，０）を符号化したデータを書き込み、それからスイッチ１７をｄ側に切り替え、別のセクタにそれ以外の係数を符号化したデータを書き込む。最後にスイッチ１７をｆ側に切り替えて、各データを記録したセクタを示すデータをディスクの管理領域に書き込み、一つの画像データの記録を終了する。
　【０１１６】
　この方式の場合も、マルチ画面を生成するのに要する時間は他の実施例と同様に高速にできる。また、マルチ画面を生成するためのデータと同時に各画像のパラメータも読み込むので検索時にこれらのデータを参照でき、検索性がさらに向上する。
　【０１１７】
　（第４実施例）
　第４の実施例は、第３実施例のような処理をパーソナルコンピュータなどにおいて、ソフトウェアによって行うもので、構成は図９のようになる。Ａ／Ｄ変換器１でディジタル信号に変換された画像信号はフレームメモリ３に一時記憶される。このフレームメモリ３はメモリのアドレス、データ、制御信号それぞれがコンピュータのアドレスバス３０、データバス３１、制御信号ライン３２に接続され、ＣＰＵ（プロセッサ）３５からアクセスできるようになっている。フレームメモリ３から読み出された画像データはＣＰＵ３５によりソフトウェアによって処理され、符号化される。
　【０１１８】
　データ記録のためのディスク装置３７はハードディスク装置や光ディスク装置、あるいはフロッピディスク装置等を示しており、第２、第３実施例と同様、ディスク上は図５のように同心円状の複数の記録トラックがあり、各記録トラックはセクタで分割されていて、データが記録されているセクタを示す情報や、セクタの連結状態を示す情報がディスクの管理領域に記録される。
　【０１１９】
　上記の符号化された画像データはＩ／Ｏポート３６を介してディスク装置３７に入力され、図７、図８のように、第３実施例に示したパラメータと直流成分の符号データＦ（０，０）は同じセクタに、Ｆ（０，０）以外の係数（交流成分の符号データ）は別のセクタに記録される。
　【０１２０】
　記録された画像を再生する場合、Ｉ／Ｏポート３６を介してディスク装置３７からその再生しようとする画像の直流成分および交流成分のデータを読み出し、ソフトウェアによって復号化し、量子化された各データを復元して、逆ＤＣＴ処理を施しもとの画像を分割しているブロックを再生する。これをフレームメモリ３に記憶させ、Ｄ／Ａコンバータ２に入力して画像を出力する。
　【０１２１】
　また、マルチ画面を生成する場合、第３実施例と同様、パラメータとＦ（０，０）のデータだけをディスクから読み出し、ソフトウェアによって復号化し、量子化されたＦ（０，０）を復元した後、直接フレームメモリ３に書き込む。
　【０１２２】
　この実施例の場合でも、マルチ画面を生成する際、逆ＤＣＴ処理が不要になるので、処理時間を早めることができる。また、マルチ画面を生成するための情報だけをディスクから読むだけで良く、その分、ヘッドの移動が最小になり、さらに高速化が図れる。そして、マルチ画面を生成すると同時に画像の作成日時などの情報を参照できるので検索性が向上する。
　【０１２３】
　（第５実施例）
　第５の実施例は、メモリーカードを記録媒体として、第３実施例のような方法で画像を記録するものである。この例では、記録媒体がメモリーカードに替ったものなので、図６のディスクの制御部分がカードとのインタフェース回路２８となった第１０図のような構成になる。動作は第３実施例と同様なので説明は省略する。この例の場合も、他の実施例と同様、マルチ画面を高速に生成することができる。
　【０１２４】
　このように、本発明による装置はマルチ画面を生成するために画像サイズを縮小するときにはＦ（０，０）だけが記録されている領域からまとめて読み出し、１つのブロックのＦ（０，０）を１つの画素とし、図３のように並べることによりこの画像を縦横ともにブロックサイズ分の１の画面に縮小されることを利用したものである。そして、例えば、図３のようにブロックサイズが縦８画素、横８画素の場合には縦横ともに８分の１に縮小され、他の画像も同様な処理を行うことで６４個のマルチ画面ができると云ったことを利用している。
　【０１２５】
　上記方式の場合、もともとＦ（０，０）がブロックの平均値を算出したものなので２次元の空間フィルタを通したものと等価な効果があり、画素の間引きを行う前処理としての水平・垂直フィルタを特に必要とはしない。そして、他の直交変換、例えば離散フーリエ変換の場合でもＦ（０，０）はブロックの平均値を示すことから、この離散フーリエ変換のように、ブロック内の平均値を示す係数が得られる変換方式を用いて画像を符号化しているものであれば、本発明の手法を用いて画像サイズを縮小し、高速にマルチ画面を生成することが可能となる。
　【０１２６】
　また、各画像のＦ（０，０）を記録媒体の特定の領域にまとめて記録しておくことにより、検索作業などを行う場合、この領域からデータを読み出すだけで上記の手段を適用してマルチ画面を生成できるので磁気ディスクなどのヘッドの移動を必要とする記録媒体においてヘッドの移動を最小にすることができる。
　【０１２７】
　一般に、磁気ディスクやメモリカードなどの記録媒体は内部をセクタあるいはクラスタなどと称され、予め設定された容量で分割されていて、これが記録時の最小単位となっている。また、一般に管理情報を記録するセクタが用意されていて、記録するデータが複数のセクタにまたがって記録される場合、セクタの連結状態が上記の管理領域に記録される。このような記録媒体において、各画像のＦ（０，０）と他の係数を別のセクタ（あるいはクラスタ）に記録する。このとき、管理領域には管理領域には各画像毎のＦ（０，０）と他の係数が記録されたセクタが一つのデータブロックであることを示す情報を記録しておく。各画像を再生したい場合には管理情報から画像が記録されているセクタを読み込み、そのセクタからデータを読み出せばよい。一方、検索時においては、各画像のＦ（０，０）が記録されているセクタだけからデータを読み込んで、図３のように画素を並べることにより画像を縮小してマルチ画面が生成できる。
　【０１２８】
　また、上記のセクタで分割されている記録媒体において、Ｆ（０，０）を連続したセクタに記録し、他の係数は別のセクタ（あるいはクラスタ）に記録し、管理領域には各画像毎のＦ（０，０）と他の係数が記録されたセクタが一つのデータブロックであることを示す情報を記録しておく。
　【０１２９】
　これにより、マルチ画面の生成の際、この連続したセクタからデータを読み出すだけで良いので記録媒体が磁気ディスクの場合などにおいてはヘッドの移動を最小にできる。
　【０１３０】
　さらに、画像を作成した日時や、画像を符号化したときに用いたパラメータなどの特定情報を各画像のＦ（０，０）と同じ領域に記録しておくことにより、検索作業時にこれらの情報も一緒に参照でき、実用性が向上する。
　【０１３１】
　以上のように、本発明は画像信号をディジタル化し、フレームメモリに格納し、これを所定のマトリックスサイズでブロック化し、これを直交変換してブロック毎に周波数成分別のデータとし、さらにこれを圧縮符号化し、再生はこの圧縮符号化されたデータを復号化し、さらに逆直交変換して元のブロックの画像データに戻し、これをアナログ変換して画像信号に戻すと云う処理を行う符号化／復号化において、前記符号化出力は直流成分と交流成分を分けて抽出し、記録用の媒体には直流成分と交流成分のそれぞれ専用の領域に、それぞれ分けて記録し、フレ−ム画像を縮小してマルチ画面を作成するにあたっては、記録媒体の直流成分の記録領域に記録されている圧縮符号化されたデータを読出し、さらにこれを元の値（すなわち、直交変換された係数値）に戻し、この戻された各ブロックの直交変換係数値を逆直交変換せずにそのまま利用すると共に、その利用するデータは直交変換係数値のうち、直流成分のものとし、この直流成分の直交変換係数値をそのブロックでの代表値として使用し、フレーム画像の各ブロックについて、それぞれこの直流成分のみを画素として使用し、画像の縦横方向を詰めて画素配列することによりフレーム画像を再現するようにしたものである。
　【０１３２】
　これにより、各ブロック毎に直流成分以外は間引かれた形となり、しかも、直交変換の係数値化して得られたデータを利用して分別することから、演算処理は大幅に省略され、高速度で画像縮小処理でき、また、直流成分の直交変換係数値をそのまま利用するので、これは帯域規制を与えたものと等価であり、従って、フィルタリング処理をする必要がないので、フィルタ回路やこのフィルタ回路に順次、データを与えるためのバッファ用のフィールドメモリそしてそのメモリの制御のための制御回路も不要となる。従って、回路構成も簡単となり、システム構成を簡易化できる。さらにまた、記録媒体へのデータ記録はその記録媒体の記録領域を直流成分専用、交流成分専用に分けて、それぞれの領域にそれぞれ対応の成分のみを記録するようにしたから、直流成分のみを読出す場合にその読出し制御に無駄がなくなり、迅速に直流成分のみを抽出できるようになる。従って、記録媒体がディスクの場合では、ディスクのアクセス上のロスタイムが大幅に少なくなり、画像記録にディスクを用いた場合のデータ読出し時間と云う問題点も大幅に改善される。また、記録する画像の画素数など、画像のパラメータを直流成分と一緒に記録することで、マルチ画面を生成するときにこれらの情報も一緒に参照できるので画像の検索性が向上する。
　【０１３３】
　なお、本発明は上記し、且つ、図面に示す実施例に限定することなくその要旨を変更しない範囲内で適宜変形して実施し得ることはもちろんであり例えば、ＲＧＢや輝度／色差信号などのコンポーネント方式のカラー画像信号を記録媒体に記録する場合に、各コンポーネントの直流成分係数をそれぞれ１セクタ乃至複数のセクタで構成した記録領域に別々に記録し、他の１セクタ乃至複数のセクタで構成した記録領域に他の係数のデータを記録し、上記各記録領域のセクタが一つの連続したデータブロックであることを示す情報を記録媒体の管理領域に記録すると共にこのようにして記録された各コンポーネントの直流成分係数のデータだけを読み出し、直流成分のデータのみで画像を縮小することによって、カラー画像においても、マルチ画面を迅速かつ容易にに生成することができる。
　【０１３４】
　また、記録媒体の利用者領域の先頭から連続したセクタに各画像の全ブロックの直流成分を記録し、交流成分は記録媒体の利用者領域の後部のセクタから各画像毎に順番に記録するようにしても良い。
　【０１３５】
　【発明の効果】
　以上、詳述したように本発明によれば、画像を縮小する場合の演算を省略できるのでマルチ画面を出力するまでの時間が短縮でき、また、画素の間引きによる折り返し歪みを低減できるので、従来例のように第２のフレームメモリとメモリ制御回路、水平・垂直フィルタの省略が可能で、構成を単純にできる他、磁気ディスクなど、ヘッドの移動を必要とする記録媒体を用いているときにおいても、マルチ画面を生成する場合のヘッドの移動を最小にできるので時間を短縮できるようなる他、縮小画像のデータと併せて原画像での画素数など、各画像のパラメータも取得できるようにしてあるので、検索時にこれらのデータを参照できることにより、原画像の内容を簡単に識別できるとともに、再生された原画像の大きさや画像処理しようとする場合の処理にかかる時間の目安を簡単につけることができるといった検索性の向上を図ることができるなどの効果が得られる。
【図面の簡単な説明】
　【図１】
　本発明の一実施例の全体構成を示すブロック図。
　【図２】
　図１の装置におけるディスクへのデータ記録の様子を説明するための図。
　【図３】
　図１の実施例の動作を説明するための図。
　【図４】
　本発明の第２の実施例を示すブロック図。
　【図５】
　図４の装置におけるディスクへのデータ記録の様子を説明するための図。
　【図６】
　本発明の第３の実施例を示すブロック図。
　【図７】
　図６の装置におけるディスクへのデータ記録の様子を説明するための図。
　【図８】
　図６の装置におけるディスクの各セクタのデータ記録の様子を説明するための図。
　【図９】　本発明の第４の実施例を示すブロック図。
　【図１０】
　本発明の第５の実施例を示すブロック図。
　【図１１】
　従来例の構成例を示すブロック図。
　【図１２】
　画像の圧縮符号化と復号の原理を説明するための図。
　【図１３】
　従来装置におけるディスクのデータ記録の様子を説明するための図。
　【図１４】
　画像の圧縮符号化の詳しい原理を説明するための図。
　【図１５】
　ジグザグスキャンを説明するための図。
　【符号の説明】
　１…画像信号入力用のＡ／Ｄ変換器、２…画像信号出力用のＤ／Ａ変換器、３…フレ−ムメモリ、４…メモリ制御回路、５…スイッチ、６…符号化部、７…直交変換／逆直交変換処理（ＤＣＴ／ＩＤＣＴ）回路、８〜１１…テーブル、１２，１３…量子化／逆量子化回路、１４，１５…符号化／復号化回路、１７，２１，２８…切り替えスイッチ、１８，１９…バッファ、２７…操作部、２６…システム制御回路。